(57)【要約】【課題】自らの意思では体を動かせない被介護者において、仰向け状態でのおむつ交換、仰向けから横向きへの体位交換、さらには、横向きでのおむつ交換・褥瘡の処置を容易に行うことが可能な介護用ズボンを提供すること。【解決手段】対となる筒状股下部６、正面股上部５ａ及び背面股上部５ｂとを備える介護用ズボン１において、正面股上部５ａと背面股上部５ｂとは分離されており、背面股上部５ｂは、両側部に各々舌状片２を有し、舌状片２は、背面股上部５ｂと反対側に紐状体３の一端が固定されており、紐状体３は、被介護者が介護用ベッドの中央において寝ている場合に、他端を介護用ベッド側部に配された柵体に紐状体３の他端側を締結可能な長さを有する。【選択図】図１
0003187691.tif 000002
【実用新案登録請求の範囲】
【請求項１】
各々に片足を挿入する対となる筒状股下部と、
当該筒状股下部の一端側に連続する下腹部を被覆可能な正面股上部と、
前記筒状股下部の前記一端側に連続する臀部を被覆可能な背面股上部とを備える介護用ズボンであって、
前記正面股上部と前記背面股上部とは分離されており、
前記背面股上部は、両側部に各々舌状片を有し、
当該舌状片は、前記背面股上部と反対側に紐状体の一端が固定されており、
当該紐状体は、被介護者が介護用ベッドの中央において寝ている場合に、他端を当該介護用ベッド側部に配された柵体に前記紐状体の他端側を締結可能な長さを有することを特徴とする介護用ズボン。
【請求項２】
前記正面股上部は、前記背面股上部よりも、前記筒状股下部とは反対側に延伸した延伸部を備えることを特徴とする請求項１に記載の介護用ズボン。
【請求項３】
前記舌状片は、前記背面股上部において、前記筒状股下部とは反対側に配されていることを特徴とする請求項１又は請求項２に記載の介護用ズボン。
【請求項４】
少なくとも、前記背面股上部、前記舌状片及び前記紐状体は、非伸縮性の布から構成されることを特徴とする請求項１乃至請求項３のうち、いずれか１に記載の介護用ズボン。
【請求項５】
前記紐状体は、各々が少なくとも５０ｃｍの長さを有することを特徴とする請求項１乃至請求項４のうち、いずれか１に記載の介護用ズボン。
【考案の詳細な説明】
【技術分野】
【０００１】
本考案は、寝たきりの高齢者、自らの意思で動けないアルツハイマー病患者、病気や、怪我で身体を動かすことのできない患者等（以下、「被介護者等」とする。）に使用する介護用ズボンに関する。
【背景技術】
【０００２】
上記のような被介護者等は、被服の着替え、用便をはじめ身の回りの生活全般を自分で行うことができず、他人の介護を必要とする場合が多く、用便のために、おむつを使用する場合も多々ある。
【０００３】
これら被介護者等に対して、おむつ交換を容易に行うべく、種々の介護用ズボンが提案されている。
【０００４】
例えば、介護用ズボンを全て脱がせておむつの交換を行うことが、介護者にとって労力の大きな作業となり、同様に、介護用ズボンを全て脱がせることは、露出を大きくし、被介護者等の心理的苦痛を伴うことから、特許文献１に示すように、介護用ズボンの身頃部の背部を左右方向に分離したことにより、介護用ズボンを履いたままで、下腹部のみを露出させておむつの交換が可能な介護用ズボンが開示されている。
【先行技術文献】
【特許文献】
【０００５】
【特許文献１】特開２００１−３３６００６
【考案の概要】
【考案が解決しようとする課題】
【０００６】
しかしながら、従来、これらの被介護者等のおむつ交換を容易にせんとする介護用ズボンは種々提案されているものの、おむつ交換にあたっては、仰向けのままでは完全におむつ交換を行うのが困難であるのが実情であり、臀部側に現れるおむつの位置を調整したり、背中側の褥瘡（床ずれ）の処理を行うべく、被介護者等を仰向け（仰臥位）から横向き（側臥位）に移動させて、臀部側（背中側）を被介護者に向けて露出させる必要がある。
【０００７】
その場合、被介護者等は、自らの意思で仰向けから横向きに体位交換を行うことができないため、介護者が、被介護者等の体位交換を行うこととなるが、被介護者等自身、自らの意思で事故の身体をコントロールできない場合は、介護者にとって非常に負担の大きい作業となっている。
【０００８】
そこで本考案は、上記事情に鑑みてなされたものであって、仰向け状態でのおむつ交換、仰向けから横向きへの体位交換、さらには、横向きでのおむつ交換・褥瘡の処置を容易に行うことが可能な介護用ズボンを提供することを目的とする。
【課題を解決するための手段】
【０００９】
上記目的達成のため、本考案の介護用ズボンは、各々に片足を挿入する対となる筒状股下部と、当該筒状股下部の一端側に連続する下腹部を被覆可能な正面股上部と、前記筒状股下部の前記一端側に連続する臀部を被覆可能な背面股上部とを備える介護用ズボンであって、前記正面股上部と前記背面股上部とは分離されており、前記背面股上部は、両側部に各々舌状片を有し、当該舌状片は、前記背面股上部と反対側に紐状体の一端が固定されており、当該紐状体は、被介護者が介護用ベッドの中央において寝ている場合に、他端を当該介護用ベッド側部に配された柵体に前記紐状体の他端側を締結可能な長さを有することを特徴とする。
【００１０】
また、本考案の介護用ズボンにおける前記正面股上部は、前記背面股上部よりも、前記筒状股下部とは反対側に延伸した延伸部を備えることを特徴とする。
【００１１】
また、本考案の介護用ズボンにおける前記舌状片は、前記背面股上部において、前記筒状股下部とは反対側に配されていることを特徴とする。
【００１２】
また、本考案の介護用ズボンは、少なくとも、前記背面股上部、前記舌状片及び前記紐状体は、非伸縮性の布から構成されることを特徴とする。
【００１３】
また、本考案の介護用ズボンにおける前記紐状体は、各々が少なくとも５０ｃｍの長さを有することを特徴とする。
【考案の効果】
【００１４】
本考案の介護用ズボンは、背面股上部に固定された紐状体により、介護用ベッドの柵体に固定可能であるため、おむつの交換時においても、介護用ズボンがずれてしまうことを防止可能である。
【００１５】
本考案の介護用ズボンは、背面股上部に固定された左右一方の舌状片を介護者が把持して、被介護者を仰向け状態から、横向き状態へと転換する体位交換を行うことにより、舌状片の把持により被介護者の腰及び背中を容易に支持することができるため、より少ない力で容易に被介護者の体位交換を行うことが可能である。
【００１６】
特に、他方の舌状片に固定された紐状体は、介護用ベッドの柵体に締結されていることから、一方側の舌状片を把持して引っ張り上げることにより、一方側の舌状片が力点となり、被介護者の他方側の半身部分が支点、被介護者の一方側の半身部分が作用点となって、容易に被介護者の体位交換を行うことが可能である。
【００１７】
また、本考案において、被介護者からの着脱は、正面股上部の上から、左右の紐状体を結び、さらには、それら紐状体の締結部を境に、正面股上部の延伸部を折り返すのみで、介護用ズボンを被介護者に履かせることが可能であり、脱ぐ場合においても逆の動作により簡単に脱がせることが可能である。
【００１８】
特に、本考案においては、ピンポイントに掴んで取り付けや、取り外しをしなければならず、介護上、非常にその扱いが困難なホック、ボタン、ファスナーといった脱着部材を用いることなしに、ピンポイントではなく、ライン状に構成された紐状体を締結又は解くことにより、その着脱が可能であることから、着衣・脱衣といった作業が非常に容易である。
【００１９】
さらに、本考案においては、左右の紐状体を利用することにより、その両者を締結することにより、介護用ズボンを被介護者に固定可能であるばかりか、その紐状体を介護用ベッドの柵体に締結することにより、おむつの交換時や、体位交換時等において、被介護者が動いてしまうことによる介護用ズボンの位置ずれを防止することが可能である。
【図面の簡単な説明】
【００２０】
【図１】本考案の実施形態に係る介護用ズボンの構成を示す図であり、Ｅで示す丸囲い部は一部変形例の変更部分のみを示しており、正面股上部の一部を省略した図である。
【図２】図１の介護用ズボンの使用状態を示す斜視図である。
【図３】図２の状態において、延伸部の折り返しを展開した状態を示す斜視図である。
【図４】図３の状態において、紐状体の締結部を解除した状態を示す斜視図である。
【図５】図４の状態において、左側舌状片を利用して介護者の体位交換を行った状態を示す斜視図である。
【図６】図５の状態において、背面股上部を展開した状態を示す斜視図である。
【考案を実施するための形態】
【００２１】
以下図面を参照して、本考案による介護用ズボンを実施するための形態について説明する。
【００２２】
［介護用ズボンの構成］
本考案の実施形態に係る介護用ズボンについて、図１を用いて説明する。図１は、本考案の実施形態に係る介護用ズボンの構成を示す図であり、Ｅで示す丸囲い部は一部変形例の変更部分のみを示しており、正面股上部の一部を省略した図である。
【００２３】
図１に示すように、介護用ズボン１は、概略として、ズボン型の形状をなし、大きく、筒状股下部６と、正面股上部５ａと背面股上部５ｂからなる股上部５とから構成されている。
【００２４】
筒状股下部６は、被介護者（被介護者等）の両片足を各々に挿入するべく、対となって構成されている。
【００２５】
股上部５を構成する正面股上部５ａは、筒状股下部６の一端側に連続するように配され、被介護者の下腹部を被覆可能な布体で構成されている。
【００２６】
また、正面股上部５ａとともに、股上部５を構成する背面股上部５ｂは、筒状股下部６の一端側に連続するように配され、被介護者の臀部を被覆可能な布体で構成されている。
【００２７】
図１に示すように、正面股上部５ａと背面股上部５ｂとは分離されており互いに筒状股下部６に連続するのみの構成となっており、分離された部分の開き止まり部には、強度を高めるための力布８が当てられている。
【００２８】
背面股上部５ｂの構成についてさらに説明するに、背面股上部５ｂは、両側部に各々舌状片２（右側舌状片２ａ，左側舌状片２ｂ）が連続して配されている。舌状片２は、舌状に構成されて、背面股上部５ｂにおいて、筒状股下部６とは反対側の上端部近傍の両側面（上端側側部５ｂ１）を基端として背面股上部５ｂに固定されており、介護用ズボン１の側方側に飛び出す構成となっている。
【００２９】
舌状片２は、被介護者を仰臥位（仰向け）から、側臥位（横向き）に体位交換する場合に、介護者が舌状片２を把持して、上方へと持ち上げることにより、被介護者を仰向け状態から、横向き状態へと転換する体位交換を容易に行うことが可能である。即ち、介護者による舌状片３の把持により被介護者の腰及び背中を容易に支持することができるため、より少ない力で容易に被介護者の体位交換を行うことを可能とする。
【００３０】
また、各々の舌状片２には、背面股上部５ｂと反対側（自由端側）に紐状体３（右側紐状体３ａ，左側紐状体３ｂ）の一端が固定されている。
【００３１】
紐状体３は、被介護者が介護用ベッド１６の中央において寝ている場合に、図４に示すように、他端を介護用ベッド１６の側方に配された柵体１７に前記紐状体の他端側を締結可能な長さを有している。
【００３２】
通常、介護用ベッドの床幅は、介護のしやすさを考慮し、基本的に８３ｃｍ、９１ｃｍ、１００ｃｍの３種類に分けられるため、人間の胴回りの幅、締結するために必要な余長を考慮すると、この紐状体３は、各々（右側紐状体３ａ，左側紐状体３ｂ）が、少なくとも５０ｃｍ程度以上であれば、柵体１７に締結可能である。
【００３３】
紐状体２により、被介護者が介護ベッド１６に寝た状態のまま、介護用ベッド１６の柵体１７に介護用ズボン１を固定可能であるため、被介護者の仰向け状態におけるおむつ１８（図４参照）の交換時においても、介護用ズボン１がずれてしまうことを防止可能となる。尚、図４においては、図４紙面下方の左側紐状体３ｂを、それに対応した被介護者から見て左側の柵体１７に締結することにより、被介護者の左右両側の紐状体３（（右側紐状体３ａ，左側紐状体３ｂ））を柵体１７に締結することも可能であることは当然である。
【００３４】
また同様に、紐状体２（の何れか一方を）により、被介護者が介護ベッド１６に寝た状態のまま、介護用ベッド１６の柵体１７に介護用ズボン１を固定可能であるため、被介護者の横向き状態におけるおむつ１８（図６参照）の交換時（おむつの位置調整時）や、褥瘡の処置時においても、介護用ズボン１がずれてしまうことを防止可能となる。
【００３５】
次に、正面股上部５ａの構成についてさらに説明するに、正面股上部５ａは、背面股上部５ｂよりも、筒状股下部６とは反対側に延伸した延伸部５ａ１を備えている。これにより、被介護者１５における介護用ズボン１の着脱は、正面股上部５ａの上から、左右の紐状体３を結び、さらには、それら紐状体３の締結部９（図３参照）を境に、正面股上部５ａの延伸部５ａ１を折り返すのみで（図２参照）、介護用ズボン１を被介護者１５に履かせることが可能であり、脱ぐ場合においても逆の動作により簡単に脱がせることが可能となる。
【００３６】
尚、介護用ズボン１は、少なくとも、背面股上部５ｂ、舌状片２及び紐状体３は、非伸縮性の布から構成されており、これにより、介護者による舌状片２を把持した体位交換時においても、被介護者の腰を介護用ズボン１により支持可能となり、容易に体位交換を行うことができる。
【００３７】
上記の如く、少なくとも、背面股上部５ｂ、舌状片２及び紐状体３は、非伸縮性の布から構成されていれば、それら及び筒状股下部６及び正面股上部５ａは、季節や、用途に応じて、吸湿性の高い衣服に適した素材や、防寒性に優れた衣服に適した素材を使用する等、適宜選択可能である。
【００３８】
尚、図１のＥの丸囲い部に示す如く、上記実施形態の変形例として、介護用ズボン１１は、背面股上部５ｂにおける筒状股下部６とは反対側の上端部分に沿って、布体の内部にゴム紐１２を入れることにより、被介護者の体型にフィットするようにして、履き心地を高めることも可能である。この場合であっても、背面股上部５ｂは非伸縮性の布から構成されているため、ゴム紐１２は、背面股上部５ｂを縮ませる方向にのみ作用するため、介護用ズボン１の履き心地を高めつつ、被介護者の仰向けから横向きへの体位交換時においても、ゴム紐１２の存在が障害となるものではない。
【００３９】
［介護用ズボンの使用方法］
次に、本考案の実施形態に係る介護用ズボンの使用方法を図２乃至図６を用いて説明する。図２は、図１の介護用ズボンの使用状態を示す斜視図である。図３は、図２の状態において、延伸部の折り返しを展開した状態を示す斜視図である。図４は、図３の状態において、紐状体の締結部を解除した状態を示す斜視図である。図５は、図４の状態において、左側舌状片を利用して介護者の体位交換を行った状態を示す斜視図である。図６は、図５の状態において、背面股上部を展開した状態を示す斜視図である。
【００４０】
図２においては、被介護者１５は、本考案に係る介護用ズボン１を履いた状態で介護用ベッド１６に仰向け状態で臥している。この状態から、おむつを交換する場合、まず、図２中のＲが示す方向に延伸部５ａ１を展開する。
【００４１】
そうすると、図３に示すように、展開された延伸部５ａ１によって被覆されていた、右側紐状態３ａと左側紐状体３ｂとによって結わえられた紐状体３の締結部９が現れる。
【００４２】
次に、図４に示すように、締結部３を解くことにより、右側舌状片２ａ及び左側舌状片２ｂを各々被介護者１５の側方へと展開し、さらに、正面股上部５ａを筒状股下部６側へ展開する。これにより、被介護者１５のおむつ１８を露出させることが可能となる。
【００４３】
この状態において、被介護者の正面からおむつ交換を行うことが可能となり、その場合は、左右の舌状片２に固定された紐状体３を各々、介護用ベッド１６の柵体１７に締結して介護用ズボン１を固定すれば（図４は、右側紐状体３ａのみを固定）、被介護者が動いてしまった場合等においても、介護用ズボン１がずれてしまうことを防止可能である。
【００４４】
次に、被介護者の臀部側において、おむつの位置調整や、腰・背中にできた褥瘡を処置するべく、被介護者１５を図５に示すように横向き状態としたい場合、まず、図４に示すように、左右の紐状体３の内、被介護者１５が横向きとなった場合の正面側の紐状体３（図４においては右側紐状体３ａ）を被介護者１５の右側の柵体１７に締結する（図４中のＰ）。
【００４５】
そして、図５に示すように、柵体１７に締結されていない紐状体３（左側紐状体３ｂ）が固定されている舌状片２（左側紐状片２ｂ）を介護者が把持してＶで示す方向に、持ち上げる。
【００４６】
これにより、被介護者１５を仰向け状態から、横向き状態へと転換する体位交換を容易に行うことが可能である。即ち、介護者による舌状片３の把持により被介護者１５の腰及び背中を容易に支持することができるため、より少ない力で容易に被介護者の体位交換を行うことを可能とする。
【００４７】
この場合、一方の紐状体３（図５における右側紐状体３ａ）が柵体１７に締結されていることから、他方側の舌状片２（左側舌状片２ｂ）を介護者が把持して引っ張り上げることにより、他方側の舌状片２（左側舌状片２ｂ）が力点となり、他方側の舌状片２（左側舌状片２ｂ）とは反対側の被介護者１５の半身部分（右半身）が支点、被介護者１５の他の半身部分（左半身）が作用点となって、容易に被介護者の体位交換を行うことが可能となる。
【００４８】
仰向けから横向きへの体位交換の後、図６に示すように、背面股上部５ｂを筒状股下部６側に展開する（剥く）ことにより、被介護者１５の臀部を露出させることが可能であり、おむつ１８の交換や、位置調整、さらには腰や、背中にできた褥瘡１９の処置が臀部側から可能となる。
【００４９】
また、以上に説明した動作の反対の動作を行うことにより、図２の介護用ズボン１を履いた状態へと容易にすることが可能であり、この場合、被介護者を横向きから仰向け状態へと体位交換することはもともと労力を要するものではなく、自然と可能であることから、舌状体２を介護者が把持等する必要はないことはいうまでもない。
【００５０】
この考案は、その本質的特性から逸脱することなく数多くの形式のものとして具体化することができる。よって、上述した実施形態は専ら説明上のものであり、本考案を制限するものではないことは言うまでもない。
【符号の説明】
【００５１】
１        介護用ズボン
２        舌状片
２ａ      右側舌状片
２ｂ      左側舌状片
３        紐状体
３ａ      右側紐状体
３ｂ      左側紐状体
５        股上部
５ａ      正面股上部
５ａ１    延伸部（折り返し部）
５ｂ      背面股上部
５ｂ１    上端側側部
６        筒状股下部
８        力布（開き止まり部）
９        締結部
１１      介護用ズボン（変形例）
１２      ゴム紐
１５      被介護者
１６      介護用ベッド
１７      柵体
１８      おむつ
１９      褥瘡（床ずれ）
【図１】
0003187691.tif 000003
【図２】
0003187691.tif 000004
【図３】
0003187691.tif 000005
【図４】
0003187691.tif 000006
【図５】
0003187691.tif 000007
【図６】
0003187691.tif 000008